(57)【要約】【課題】画像形成装置の外部からの熱で、画像形成装置内の温度を上昇させず、特に、トナーカートリッジ内のトナーの溶融、凝固や、トナーの固着を防止することを課題とする。【解決手段】フィニッシャ２００の稼動時には断熱部材２５０を下降させて排紙トレイ５０に接触させることで、搬送ユニット２０２から排紙トレイ５０に熱が伝達するのを防止すると共に、フィニッシャ２００の停止時には断熱部材２５０を上昇させて排紙トレイ５０から離間させ、断熱部材２５０の熱が排紙トレイ５０に伝達するのを防止することで、画像形成装置１０内の温度上昇を防ぐことができる。これにより、画像形成装置１０内の排紙トレイ５０近傍に配設されたトナーカートリッジ５２の温度上昇が防止されるので、トナーカートリッジ５２内のトナーが溶融するのを防いで、トナーカートリッジ５２内にトナーが固着したり、トナー同士が凝固したりするのが阻止される。【選択図】図１
2007108377.tif 000002
【特許請求の範囲】
【請求項１】
画像が形成された記録媒体の後処理を行う後処理装置が、本体ハウジングの天井壁の上方に装着された画像形成装置において、
前記後処理装置から前記天井壁に伝達される熱を断熱する断熱部材を有することを特徴とする画像形成装置。
【請求項２】
前記断熱部材を前記本体ハウジングの側壁へ移動させる移動手段を設けたことを特徴とする請求項１に記載の画像形成装置。
【請求項３】
前記天井壁の内側にトナーカートリッジが配設されていることを特徴とする請求項１又は請求項２に記載の画像形成装置。
【請求項４】
画像形成装置の本体ハウジングの天井壁の上方へ装着され、画像が形成された記録媒体の後処理を行う後処理装置において、前記画像形成装置の本体ハウジングの前記天井壁へ伝達される熱を断熱する断熱部材を有することを特徴とする後処理装置。
【請求項５】
前記後処理装置が稼動状態にあるときは前記断熱部材を前記天井壁に接触させ、該後処理装置が停止状態にあるときは該断熱部材を該天井壁から離間させることを特徴とする請求項４に記載の後処理装置。
【請求項６】
前記天井壁には外気と連通する排気口が複数形成されており、前記後処理装置が稼動状態にあるときは前記断熱部材は前記排気口を閉じ、該後処理装置が停止状態にあるときは該断熱部材は該排気口を開放することを特徴とする請求項４又は請求項５に記載の後処理装置。
【請求項７】
前記画像形成装置の天井壁の内側にトナーカートリッジが配設されていることを特徴とする請求項４〜請求項６のいずれか１項に記載の後処理装置。
【発明の詳細な説明】
【技術分野】
【０００１】
本発明は、記録媒体に画像を形成する画像形成装置及び、画像形成装置に装着される後処理装置に関する。
【背景技術】
【０００２】
プリンタや複写機等の電子写真方式を採用した画像形成装置では、画像形成装置内部の温度がある温度を越えると、トナーの温度が上昇して溶融して凝固したり、トナーが収容されたトナーカートリッジの内部や現像装置の内部に固着してしまう。これによって、トナーカートリッジから現像装置へ、現像装置の現像ロールから感光体ドラムへ、又は感光体ドラムから記録媒体へトナーを良好に移動できず、良好なトナー像が得られないという問題が発生する。このため、従来から画像形成装置内部や現像装置内部の温度上昇を抑える方法が考案されている（特許文献１〜３参照）。
【０００３】
特許文献１では、現像装置近傍に設けた温度センサによって現像装置近傍の温度を検出して、この温度が所定値以上になると、現像装置近傍に設けたファンを駆動することで、現像装置を冷却する構成が開示されている。
【０００４】
また、特許文献２では、現像装置内に温度計を設け、現像装置内の温度が上昇するとファンを駆動して現像装置内の温度を制御することで、現像装置内のトナーの温度上昇を防止する構成が開示されている。
【０００５】
さらに、特許文献３では、現像装置内に温度センサを設け、この温度センサによって現像装置内のトナーの温度を検出して、トナーの温度が所定値以上になると、定着装置近傍に設けられた冷却手段を動作させることで、定着装置から発生した熱を画像形成装置外へ排出する構成が開示されている。これにより、外気が画像形成装置内に取り込まれ、現像装置周囲の温度が降下して、トナーの温度が上昇するのを防止するというものである。
【０００６】
特許文献１〜３は、いずれも現像装置を冷却することで、現像装置内のトナーの温度上昇を防止するものであり、フィニッシャ等のオプションを取り付けた場合、オプションから発生する熱、つまり、画像形成装置の外部からの熱によって、画像形成装置内の温度が上昇することを防止する構成ではない。
【特許文献１】特開２００１−１１７４７４号公報
【特許文献２】特開２００４−１０２２１２号公報
【特許文献３】特開平０９−１０１６７２号公報
【発明の開示】
【発明が解決しようとする課題】
【０００７】
本発明は上記問題を考慮し、画像形成装置の外部からの熱で、画像形成装置内の温度を上昇させず、特に、トナーカートリッジ内のトナーの溶融、凝固や、トナーの固着を防止することを目的とする。
【課題を解決するための手段】
【０００８】
請求項１に記載の本発明の画像形成装置は、画像が形成された記録媒体の後処理を行う後処理装置が、本体ハウジングの天井壁の上方に装着された画像形成装置において、前記後処理装置から前記天井壁に伝達される熱を断熱する断熱部材を有することを特徴としている。
【０００９】
請求項１に記載の発明では、画像形成装置の本体ハウジングの天井壁に設けられた断熱部材によって、後処理装置から天井壁に伝達される熱が断熱される。これにより、本体ハウジング内の温度上昇が防止される。
【００１０】
請求項２に記載の本発明の画像形成装置は、前記断熱部材を前記本体ハウジングの側壁へ移動させる移動手段を設けたことを特徴としている。
【００１１】
請求項２に記載の発明では、移動手段によって、断熱部材は本体ハウジングの側壁へ移動される。これにより、例えば、後処理装置が停止中のときは断熱部材を側壁へ移動させることで、後処理装置から発生した熱を吸収して熱くなった断熱部材から、天井壁へ熱が伝達するのを防止できる。
【００１２】
また、画像形成装置に後処理装置が装着されていないとき、断熱部材を側壁へ移動させることで、本体ハウジングの天井壁（排紙トレーとして使用される場合）に設けられた断熱部材によって、記録媒体の排出が邪魔されることがない。
【００１３】
請求項３に記載の本発明の画像形成装置は、前記天井壁の内側にトナーカートリッジが配設されていることを特徴としている。
【００１４】
請求項３に記載の発明では、天井壁に設けられた断熱部材によって、後処理装置から天井壁に伝達される熱が遮断される。これにより、天井壁の内側に配設されたトナーカートリッジ内のトナーが溶融するのを防止されるので、トナーカートリッジ内にトナーが固着したり、トナー同士が凝固したりするのが阻止される。
【００１５】
請求項４に記載の本発明の後処理装置は、画像形成装置の本体ハウジングの天井壁の上方へ装着され、画像が形成された記録媒体の後処理を行う後処理装置において、前記画像形成装置の本体ハウジングの前記天井壁へ伝達される熱を断熱する断熱部材を有することを特徴としている。
【００１６】
請求項４に記載の発明では、後処理装置に設けられた断熱部材によって、後処理装置から天井壁に伝達される熱が断熱される。このように、断熱部材を後処理装置に設けることで、後処理装置を画像形成装置から外したとき、断熱部材は後処理装置と共に画像形成装置から外れるので、断熱部材が邪魔にならない。
【００１７】
請求項５に記載の本発明の後処理装置は、前記後処理装置が稼動状態にあるときは前記断熱部材を前記天井壁に接触させ、該後処理装置が停止状態にあるときは該断熱部材を該天井壁から離間させることを特徴としている。
【００１８】
請求項５に記載の発明では、後処理装置が稼動状態にあるときは、断熱部材を天井壁に接触させる。これにより、後処理装置から天井壁に伝達される熱が断熱される。また、後処理装置が停止状態にあるときは、断熱部材を天井壁から離間させる。これにより、後処理装置から発生した熱によって高温となった断熱部材から、天井壁に熱が伝達するのを防ぐことができる。
【００１９】
請求項６に記載の本発明の後処理装置は、前記天井壁には外気と連通する排気口が複数形成されており、前記後処理装置が稼動状態にあるときは前記断熱部材は前記排気口を閉じ、該後処理装置が停止状態にあるときは該断熱部材は該排気口を開放することを特徴としている。
【００２０】
請求項６に記載の発明では、天井壁に外気と連通する排気口が複数形成された画像形成装置では、後処理装置が稼動状態にあるときは、断熱部材で排気口を閉じる。これにより、後処理装置から発生する熱が、排気口から画像形成装置内に入り込むのが防止される。また、後処理装置が停止状態にあるときは、断熱部材は排気口を開放する。これにより、画像形成装置内の熱が排気口から放出されて、画像形成装置内の温度上昇が防止される。
【００２１】
請求項７に記載の本発明の後処理装置は、前記画像形成装置の天井壁の内側にトナーカートリッジが配設されていることを特徴としている。
【００２２】
請求項７に記載の発明では、後処理装置に設けられた断熱部材によって、後処理装置から発生する熱が、天井壁に伝達するのが防止される。これにより、天井壁の内側に配設されたトナーカートリッジ内のトナーが溶融するのを防止されるので、トナーカートリッジ内にトナーが固着したり、トナー同士が凝固したりするのが阻止される。
【発明の効果】
【００２３】
本発明は上記構成としたので、画像形成装置の外部からの熱で、画像形成装置内の温度を上昇させず、特に、トナーカートリッジ内のトナーの溶融、凝固や、トナーの固着が防止される。
【発明を実施するための最良の形態】
【００２４】
以下、図面を参照しながら本発明の実施形態に係る画像形成装置１０について説明する。
【００２５】
図１に示すように、画像形成装置１０は、イエロー（Ｙ）、マゼンタ（Ｍ）、シアン（Ｃ）、ブラック（Ｋ）の各色のトナー像を形成する画像形成ユニット１２Ｙ、１２Ｍ、１２Ｃ、１２Ｋを備えている。なお、以降、ＹＭＣＫを区別する必要がある場合は、符号の後にＹ、Ｍ、Ｃ、Ｋの何れかを付して説明し、ＹＭＣＫを区別する必要が無い場合は、Ｙ、Ｍ、Ｃ、Ｋを省略する。
【００２６】
画像形成ユニット１２は、図示しない駆動機構によって回転可能とされた感光体ドラム１４を備えている。感光体ドラム１４の周囲には、帯電装置１６、現像装置１８、クリーニング装置２０、及び除電装置２２が順に配置されている。
【００２７】
これにより、感光体ドラム１４は、図示しない駆動機構によって矢印Ａ方向に回転し、帯電装置１６によって表面が略均一に帯電される。そして、画像形成ユニット１２の下方に設けられた露光装置２４によって露光され、感光体ドラム１４の表面に画像データに基づく静電潜像が形成される。この静電潜像は現像装置１８のトナーによって現像され、感光体ドラム１４の表面にトナー像が形成される。このトナー像は、後述する転写ローラ３４との間の中間転写ベルト３２上に転写される。転写後の中間転写ベルト３２に転写されずに感光体ドラム１４の表面に残存したトナーは、クリーニング装置２０によって除去される。そして、その感光体ドラム１４の表面は、除電装置２２によって除電され、再び帯電装置１６によって略均一に帯電される。
【００２８】
一方、画像形成ユニット１２Ｙ、１２Ｍ、１２Ｃ、１２Ｋの上方には、中間転写体２６が設けられている。中間転写体２６は、複数の張架ロール２８とバックアップロール３０とによって張架された無端状の中間転写ベルト３２とで構成されている。中間転写ベルト３２には感光体ドラム１４が当接しており、中間転写ベルト３２を挟んで感光体ドラム１４と対向する位置には、転写ローラ３４が設けられている。
【００２９】
画像形成ユニット１２Ｙ、１２Ｍ、１２Ｃ、１２Ｋは、中間転写ベルト３２の進行方向に対して、この順で直列に配列されており、各画像形成ユニット１２で形成された互いに異なる色のトナー像は、互いに重なりあうようにして中間転写ベルト３２上に各々転写される。これにより、中間転写ベルト３２上に、カラーのトナー像が形成される。
【００３０】
一方、画像形成装置１０の底部には、給紙トレイ３６が設けられている。この給紙トレイ３６にセットされた用紙Ｐの搬送方向の先端部には給紙ローラ３８が当接しており、この給紙ローラ３８と図示しない用紙捌き手段によって、用紙Ｐが１枚ずつ給紙トレイ３６から搬送方向下流側へ給紙される。また、給紙ローラ３８の搬送方向下流側には、２組の搬送ローラ４０が配置されており、用紙Ｐは、この搬送ローラ４０によって、上方の転写部４２へ搬送される。
【００３１】
転写部４２は、バックアップロール３０と、中間転写ベルト３２を介してバックアップロール３０に圧接する二次転写ロール４４とで構成されている。そして、用紙Ｐが転写部４２（バックアップロール３０と二次転写ロール４４のニップ部）を通過する際に、中間転写ベルト３２上のカラートナー像が用紙Ｐに転写される。
【００３２】
転写部４２の上方且つ用紙搬送方向下流側には、定着ユニット４６が配設されている。この定着ユニット４６は、ヒートローラ４６Ｂと、このヒートローラ４６Ｂに圧接されたプレッシャーベルト４６Ａを有しており、用紙Ｐがヒートローラ４６Ｂとプレッシャーベルト４６Ａのニップ部を通過する際に、トナーが溶融、凝固して用紙Ｐに定着される。そして、用紙Ｐは、定着ユニット４６の用紙搬送方向下流側に設けられた排紙ローラ４８によって、排紙トレイ５０上に排紙される。
【００３３】
なお、転写部４２で用紙Ｐに転写されなかった中間転写ベルト３２上の残留トナーは、中間転写ベルト３２に配設された中間転写体クリーニング装置２１によって回収される。
【００３４】
中間転写体２６の上方には、各色のトナーが収容されたトナーカートリッジ５２が設けられている。このトナーカートリッジ５２から、トナー搬送機構５４によって現像装置１８に、必要に応じてトナーが供給されるようになっている。
【００３５】
トナーカートリッジ５２は、画像形成装置１０に対して着脱可能とされており、トナーカートリッジ５２内にトナーがなくなると、トナーが収容された新しいトナーカートリッジ５２に交換することができるようになっている。
【００３６】
ところで、画像形成装置１０には、オプション装置であるフィニッシャ２００が着脱可能となっている。図１には、このフィニッシャ２００を画像形成装置１０に装着した状態が示されているが、フィニッシャ２００は画像形成装置１０とは分離可能な構造となっている。
【００３７】
フィニッシャ２００は、搬送ユニット２０２と後処理ユニット２０４からなり、略Ｌ字状とされている。このフィニッシャ２００は、後処理ユニット２０４が画像形成装置１０の右側壁面１０Ａに隣接し、搬送ユニット２０２が画像形成装置１０の天井壁としての排紙トレイ５０に覆いかぶさるようにして、画像形成装置１０に装着されるようになっている。
【００３８】
搬送ユニット２０２は、画像形成装置１０の排紙口５１から排出された用紙Ｐが搬入される搬入口２０６を有している。搬入口２０６近傍には搬送ローラ２０８が設けられており、排紙口５１から排出された用紙Ｐは、搬入口２０６を介して搬送ローラ２０８にニップされ、搬送ユニット２０２内部に送り込まれる。
【００３９】
また、搬送ユニット２０２には、搬送ローラ２０８と、この搬送ローラ２０８の斜め上方向下流側に形成された排紙口２１０と、排紙口２１０近傍に配設された搬送ローラ２１１とで構成される搬送路２１２が形成されており、後処理ユニット２０４へ搬送される必要ない用紙Ｐは、搬送路２１２を介して排紙口２１０から搬送ユニット２０２の外部に設けられた排紙トレイ２１４へ排紙されるようになっている。
【００４０】
搬送路２１２の下方には、搬送ローラ２０８から水平方向に沿って延びる搬送路２１６が形成されている。搬送路２１６には、複数の搬送ローラ２１８が配設されており、搬送ユニット２０２に送り込まれた用紙Ｐは、搬送ローラ２１８によって水平方向に搬送される。
【００４１】
一方、搬送ローラ２０８の下流側には、ゲート２２０が設けられている。ゲート２２０は、一方の端部が図示しないフレームに回動可能に固定されており、自由端を搬送路２１２側と搬送路２１６側とに切り替えることによって、搬送ユニット２０２に送り込まれた用紙Ｐの搬送経路が切り替えられるようになっている。
【００４２】
搬送路２１６の下流側には、排紙口２２２が設けられている。また、排紙口２２２に対向して、後処理ユニット２０４には搬入口２２４が形成されている。これにより、搬送路２１６を搬送される用紙Ｐは、排紙口２２２と搬入口２２４を介して後処理ユニット２０４に送り込まれる。
【００４３】
後処理ユニット２０４は、搬入口２２４近傍に設けられた搬送ローラ２２６によって、後処理ユニット２０４内に送り込まれた用紙Ｐを略水平に搬送する搬送路２２８を有している。搬送路２２８は、後処理ユニット２０４の上側に設けられた排紙トレイ２３０に繋がる搬送路２３２と、排紙トレイ２３０の下方に設けられた排紙トレイ２３４に繋がる搬送路２３６とに分岐されており、分岐部に設けられたゲート２３８によって、搬送路２２８を搬送される用紙Ｐの搬送経路が切り替えられるようになっている。
【００４４】
搬送路２２８にはフィニッシャ装置２４０が設けられている。フィニッシャ装置２４０には、図示は省略するが、プリントシートＰに対する後処理デバイスとして、設定された枚数のプリントシートＰを重ねて中綴じした後に二つ折りにする小冊子作成部、設定された枚数のプリントシートＰを重ね、重ねたプリントシートＰの周縁部の所定位置をステープル止めしたり、プリントシートＰの周縁部の所定位置にパンチ穴を穿設するステープル部、及びプリントシートＰを二つ折りないしＺ折りなどの、設定された折り方に折り曲げる折込み部が設けられている。
【００４５】
フィニッシャ装置２４０によってフィニッシャ処理された用紙Ｐは、ゲート２３８によって搬送経路が切り替えられて、排紙トレイ２３０又は排紙トレイ２３４に排紙されるようになっている。
【００４６】
次に、フィニッシャ２００の断熱構造について説明する。
【００４７】
フィニッシャ２００を画像形成装置１０に装着したとき、排紙トレイ５０と対向する搬送ユニット２０２の下面２０２Ａには、断熱部材２５０が設けられている。断熱部材２５０は、排紙トレイ５０とほぼ同じサイズの矩形状のウレタンからなる。ウレタンは板材２５２に貼着され、ウレタンに剛性を与えている。
【００４８】
図２（Ａ）に示すように、板材２５２は引っ張りコイルスプリング２５４で懸架され、自由状態で断熱部材２５０及び板材２５２を、搬送ユニット２０２の下面２０２Ａに保持している。
【００４９】
また、板材２５２には略楕円形状の偏芯カム２５６が当接している。偏芯カム２５６は、図示しないフレームに固定された駆動モータ２５８の回転軸に直結されている。そして、駆動モータ２５８で偏芯カム２５６を回転させると、偏芯カム２５６の長径が板材２５２を押し下げ、断熱部材２５０を下降させるようになっている。
【００５０】
一方、画像形成装置１０内には制御部２６０が設けられており、印刷ジョブ開始の信号が入力されると、制御部２６０によって駆動モータ２５８の回転軸が所定の角度回転する。これにより、図２（Ｂ）に示すように、偏芯カム２５６が回動し、断熱部材２５０が下方に移動する。つまり、印刷ジョブが開始すると、フィニッシャ２００の稼動が開始され、フィニッシャ２００から発生する熱が、画像形成装置１０の排紙トレイ５０に伝達されないように、断熱部材２５０を下降させて排紙トレイ５０に接触させる。
【００５１】
また、印刷ジョブ終了の信号が入力されると、制御部２６０によって駆動モータ２５８の回転軸が所定の角度回転する。これにより、図２（Ａ）に示すように、偏芯カム２５６が回動し、引っ張りコイルスプリング２５４の付勢力によって断熱部材２５０が上方に移動する。つまり、印刷ジョブが終了すると、フィニッシャ２００が停止され、熱を吸収した断熱部材２５０から排紙トレイ５０に熱が伝達されないように、断熱部材２５０を上昇させて排紙トレイ５０から離間させる。
【００５２】
次に、本発明の第１の実施形態の作用について説明する。
【００５３】
図１に示すように、フィニッシャ２００を画像形成装置１０に装着すると、画像形成装置１０の排紙トレイ５０にフィニッシャ２００の搬送ユニット２０２が近接する。そして、画像形成装置１０で画像が定着された用紙Ｐは、排紙口５１から搬送ユニット２０２に送り込まれる。
【００５４】
このとき、搬送ユニット２０２内には、画像形成装置１０の定着ユニット４６で用紙Ｐに画像を定着させる際に発生した熱が、排紙口５１から用紙Ｐの搬入と共に入り込む。また、定着後の熱をもった用紙Ｐが、搬送ユニット２０２を通過する。これにより、搬送ユニット２０２内は高温となり、搬送ユニット２０２の熱が画像形成装置１０の排紙トレイ５０に伝達して、排紙トレイ５０の下方に配設されたトナーカートリッジ５２の温度が上昇してしまう恐れがある。
【００５５】
そこで、搬送ユニット２０２の熱が排紙トレイ５０に伝達するのを阻止するために、搬送ユニット２０２に設けた断熱部材２５０を下降させて排紙トレイ５０に接触させ、搬送ユニット２０２から排紙トレイ５０に熱が伝達するのを防止する。
【００５６】
また、搬送ユニット２０２からの熱によって高温となった断熱部材２５０から、排紙トレイ５０に熱が伝達するのを防止するために、フィニッシャ２００の停止時には断熱部材２５０を上昇させて排紙トレイ５０から離間させておく。
【００５７】
ここで、断熱部材２５０を移動させるタイミングについて、図３のフローチャートを元に説明する。
【００５８】
図３に示すように、ステップ３００では、印刷ジョブが開始するとフィニッシャ２００が稼動中であると判断され、ステップ３０２へ進む。
【００５９】
ステップ３０２では、制御部２６０からの信号によって駆動モータ２５８の回転軸が所定の角度回転され、偏芯カム２５６が回動する。これにより、搬送ユニット２０２の下面２０２Ａに設けられた断熱部材２５０が、図４（Ａ）に示すように、偏芯カム２５６の押圧力によって下降して、画像形成装置１０の排紙トレイ５０に接触する。
【００６０】
そして、次のステップ３０４で、印刷ジョブが終了すると、フィニッシャ２００が停止したと判断され、ステップ３０６へ進む。
【００６１】
ステップ３０６では、制御部２６０からの信号によって駆動モータ２５８の回転軸が所定の角度回転されて、偏芯カム２５６が回動する。これにより、図４（Ｂ）に示すように、引っ張りコイルスプリング２５４の付勢力によって、排紙トレイ５０に接触していた断熱部材２５０が上昇して、排紙トレイ５０から離間する。
【００６２】
このように、フィニッシャ２００の稼動時には断熱部材２５０を下降させて排紙トレイ５０に接触させることで、搬送ユニット２０２から排紙トレイ５０に熱が伝達するのを防止すると共に、フィニッシャ２００の停止時には断熱部材２５０を上昇させて排紙トレイ５０から離間させ、断熱部材２５０の熱が排紙トレイ５０に伝達するのを防止することで、画像形成装置１０内の温度上昇を防ぐことができる。これにより、画像形成装置１０内の排紙トレイ５０近傍に配設されたトナーカートリッジ５２の温度上昇が防止されるので、トナーカートリッジ５２内のトナーが溶融するのを防いで、トナーカートリッジ５２内にトナーが固着したり、トナー同士が凝固したりするのが阻止される。
【００６３】
また、断熱部材２５０をフィニッシャ２００側に配設することで、フィニッシャ２００を画像形成装置１０から外したとき、断熱部材２５０はフィニッシャ２００と共に画像形成装置１０から外れるので、断熱部材２５０が邪魔にならない。
【００６４】
なお、本実施形態では、断熱部材２５０として、排紙トレイ５０とほぼ同じサイズの矩形状のウレタンを用いて説明したが、図５（Ａ）に示すように、排紙トレイ５０に外気と連通する排気口２６４が形成されている場合、この排気口２６４を塞ぐ大きさの断熱部材２６６を複数設けてもよい。つまり、排気口２６４とほぼ同じサイズのウレタンからなる断熱部材２６６を、支持部材２６８を介して偏芯カム２５６が当接される板材２７０に取り付けて、偏芯カム２５６の回動によって板材２７０を介して断熱部材２６６が上下方向に移動する構成とする。これにより、印刷ジョブが開始すると、図５（Ｂ）に示すように、断熱部材２６６を下降させて排気口２６４を塞ぐことで、搬送ユニット２０２の熱が排気口２６４から画像形成装置１０内に入り込むのが阻止される。また、印刷ジョブが終了すると、断熱部材２６６を上昇させて排気口２６４を開放することで、画像形成装置１０内の熱が排気口２６４から外へ放出されて、画像形成装置１０内の温度上昇が防止される。
【００６５】
次に、本発明の第２の実施形態について説明する。なお、第１の実施形態と同様の部分についての説明は割愛する。
【００６６】
図６（Ａ）及び図７に示すように、排紙トレイ５０の上には、排紙トレイ５０とほぼ同じサイズの断熱部材２７２が載置されている。断熱部材２７２の用紙搬送方向に沿った両端部には、ワイヤ２７４が取り付けられている。ワイヤ２７４には、排紙トレイ５０の用紙搬送方向の上流側端部及び下流側端部に配設されたプーリー２７６、２７８と、プーリー２７６、２７８の下方且つ画像形成装置１０の底部に配設されたプーリー２８０、２８２に巻き掛けられている。
【００６７】
プーリー２７６には駆動モータ２８４の駆動回転力が伝達されるようになっており、プーリー２７６の矢印Ｃ方向の回転によって、ワイヤ２７４が用紙搬送方向側に向かって移動するようになっている。これにより、断熱部材２７２は排紙トレイ５０側と画像形成装置１０の後処理ユニット２０４に対向する側壁１０Ａとの間で移動可能とされている。
【００６８】
次に、本発明の第２の実施形態の作用について説明する。
【００６９】
画像形成装置１０を単体で使用するとき（フィニッシャ２００を装着しないとき）は、図６（Ｂ）に示すように、断熱部材２７２は画像形成装置１０の側壁１０Ａ側に待機している。そして、画像形成装置１０にフィニッシャ２００を装着し、印刷ジョブ開始の信号が入力されると、フィニッシャ２００が稼動中であると判断されて、制御部２８６によって駆動モータ２８４が回転する。これにより、プーリー２７６が矢印Ｄ方向に回転して、ワイヤ２７４が用紙搬送方向上流側に向かって移動するのに伴って、図６（Ａ）に示すように、側壁１０Ａに待機していた断熱部材２７２が、排紙トレイ５０上に移動する。
【００７０】
また、印刷ジョブ終了の信号が入力されると、フィニッシャ２００が停止したと判断され、制御部２８６によって駆動モータ２８４が回転されて、プーリー２７６が矢印Ｃ方向に回転する。これにより、ワイヤ２７４が用紙搬送方向下流側に向かって移動して、図６（Ｂ）に示すように、排紙トレイ５０上の断熱部材２７２が側壁１０Ａ側に移動する。
【００７１】
なお、本実施形態では、画像形成装置１０の排紙トレイ５０に配設されたプーリー２７６、２７８と、側壁１０Ａに配設されたプーリー２８２と、画像形成装置１０の底面近傍の略中央に設けられたプーリー２８０にワイヤ２７４を巻き掛け、断熱部材２７２を排紙トレイ５０と側壁１０Ａとの間で移動させる構成としたが、図８に示すように、排紙トレイ５０の用紙搬送方向の上流側端部と下流側端部に配設されたプーリー２９０、２９２と、側壁１０Ａの底面近傍に配設されたプーリー２９４と、プーリー２９２近傍に配設されたプーリー２９６とに、搬送経路が略Ｌ字状となるように懸架したワイヤ２８８で、断熱部材２９８を排紙トレイ５０と側壁１０Ａとの間で移動させてもよい。
【図面の簡単な説明】
【００７２】
【図１】第１の実施形態に係る画像形成装置の概略図である。
【図２】画像形成装置の排紙部と、断熱部材の位置関係を示す側面断面図である。
【図３】断熱部材の移動タイミングを示すフローチャートである。
【図４】断熱部材を排紙トレイに対して接離させた状態を示す側面図である。
【図５】その他の形態における、画像形成装置の排紙部と、断熱部材の位置関係を示す側面断面図である。
【図６】第２の実施形態における、断熱部材を排紙トレイに対して接離させた状態を示す側面図である。
【図７】第２の実施形態における、画像形成装置に対する断熱部材の位置関係を示す斜視図である。
【図８】その他の形態における、断熱部材を排紙トレイに対して接離させた状態を示す側面図である。
【符号の説明】
【００７３】
１０   画像形成装置
１０Ａ  側壁
５０   排紙トレイ（天井壁）
２００  フィニッシャ（後処理装置）
２５０  断熱部材
【図１】
2007108377.tif 000003
【図２】
2007108377.tif 000004
【図３】
2007108377.tif 000005
【図４】
2007108377.tif 000006
【図５】
2007108377.tif 000007
【図６】
2007108377.tif 000008
【図７】
2007108377.tif 000009
【図８】
2007108377.tif 000010